(57)【要約】【課題】流量計測値や装置の使用時間、過去の保安履歴等の記憶データが破壊され、後に各種データを分析出来ないようになることを防止する。【解決手段】電圧低下検出部１１が電池電源部９の電圧を予め定めた一定時間毎に監視し、遮断弁１３を動作可能な下限値となる動作保証電圧から遡る所定時間の電池消耗を考慮して設定した電池消耗電圧以下になった事で電池電圧低下判定し、所定時間後に遮断弁１３へ動作信号を出力すると共に、その時の各種データを外部出力部１０を介して外部出力するように信号を出す。外部出力部１０は、その時のマイクロコンピュータに蓄積された各種データを外部に出力する。本装置と電源が異なる外部装置は各種データ情報を受信して記憶しているので、電池電源部９の電圧が低下してもデータ分析はその記憶を取出す事で可能となる。【選択図】図１
2006105856.tif 000002
【特許請求の範囲】
【請求項１】
異常時にガス通路を遮断する遮断弁と、この遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧値以下に前記電池電源部の電圧がなったことを検出する電圧低下検出部を設け、前記電圧低下検出部は、前記電池電源部の電圧が電池消耗電圧値以下になったことを検出した時、所定時間後に遮断弁動作信号を出力すると共に、外部出力部を介してその時の各種データ情報を外部に出力する電圧低下検出部を備えたガス遮断装置。
【請求項２】
異常時にガス通路を遮断する遮断弁と、この遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧値以下に前記電池電源部の電圧がなったことを検出する電圧低下検出部を設け、前記電圧低下検出部は、前記電池電源部の電圧が電池消耗電圧値以下になったことを検出した時、各種データ情報を外部に出力し、所定時間後に遮断弁動作信号を出力するガス遮断装置。
【請求項３】
異常時にガス通路を遮断する遮断弁と、この遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧値以下に前記電池電源部の電圧がなったことを検出する電圧低下検出部を設け、前記電圧低下検出部は、前記電池電源部の電圧が電池消耗電圧値以下になったことを検出した時、外部出力部を介して電池電圧低下判定時の各種データ情報を外部に出力するように信号を出し、所定時間になれば遮断弁動作信号を出力すると共にその時の各種データ情報を外部に出力するガス遮断装置。
【発明の詳細な説明】
【技術分野】
【０００１】
本発明は、例えば都市ガスやＬＰガス等を利用するガス器具の使用状態を監視するような遮断装置において、装置寿命末期の各種データ情報を外部に出力するガス遮断装置に関する。
【背景技術】
【０００２】
従来のこの種の遮断装置は、例えばガス遮断装置では図２のような構成になっていた（例えば、特許文献１参照）。図２は従来のガス遮断装置の制御ブロック図を示す。
【０００３】
図２のガス遮断装置１において、２は電池電源部で、ガス遮断装置全体に電源を供給する。３は遮断弁で、流路でのガスの供給を停止したり、供給したりする。４は電圧低下検出部で、ガス遮断装置１の動作が可能な電池電源部２の容量が残されている動作保証電圧から遡る所定時間を考慮した電池電圧を検知して電磁弁に電池電圧低下信号Ａを出力する。
【０００４】
５は開栓受付部で、電圧低下信号Ａが入力された時から遮断弁の開栓受付を行って、開栓要求（開栓要求スイッチ又は通信による開栓信号の入力）があった時に開栓要求信号Ｃを出力する。６はタイマ部で、電圧低下信号Ａが入力された時から所定の動作保証時間をカウントして開栓終了信号Ｄを出力する。７は開栓機能停止部で、開栓終了信号Ｄが入力されたときに開栓要求信号Ｃによる開栓を停止する閉栓停止信号Ｅを出力する。８はガス遮断制御部で、電池電圧低下信号Ａ又は閉栓停止信号Ｅが入力された時遮断弁３を閉栓動作させ、閉栓停止信号Ｅの入力信号以前に開栓要求信号Ｃが入力された時には遮断弁３を開栓させる。
【０００５】
次に従来例の構成の動作を説明する。電池電源部２の消耗度をチェックしている電圧低下検出部４が電池消耗電圧を検出したとき、電池電圧低下信号Ａを開栓受付部５とタイマ部６とガス遮断制御部８に出力する。電圧低下信号Ａが入力されたガス遮断制御部８は、第一の遮断命令信号Ｂ１を出力して遮断弁３を動作させ、ガス通路の閉栓を実行する。タイマ部６は電圧低下信号Ａが入力されるとカウント開始し、このタイマ部６により所定時間のカウント終了する迄の間に、開栓受付部５に開栓要求があり、開栓要求信号Ｃが出力された時には、ガス遮断制御部８は遮断弁３を開栓する。タイマ部６でカウント終了したとき、開栓終了信号Ｄが出力されるので、開栓機能停止部７は閉栓停止信号Ｅを出力して開栓要求の受付を停止する。閉栓停止信号Ｅが入力されたガス遮断装置１は第二の遮断命令信号Ｂ２を出力して遮断弁３を閉栓する。
【０００６】
都市ガス、ＬＰガス等の媒体ガスの流れる流路に取り付けられたガス遮断装置１において、電圧低下検出部４は所定時間間隔毎に電池電源部２の電圧を測定し電池の消耗度を監視している。予めガス遮断装置１を動作させ得る下限値の電圧を動作保証電圧として設定しておき、ここから所要の日数分逆上った時の電圧値を電池消耗電圧として設定する。電圧低下検出部４は、電池電圧を監視してこの消耗時の電池電圧を検出する。即ち所要日数分だけ電池消耗電圧が検出されてから電池電源部２の電圧が動作保証電圧迄低下する期間だけ遮断弁３の開栓が可能としてガス遮断装置１を交換するまでの猶予期間を設けたものである。
【特許文献１】特開平１０−１０３５４６号公報
【発明の開示】
【発明が解決しようとする課題】
【０００７】
しかしながら上記従来の構成では下記問題点があった。従来のガス遮断装置は、電池消耗電圧が検出されて後の遮断弁動作後も回路動作による電池消耗がある為に電池電源部２の電圧低下は続いている。そして、電池電源部２はここには記していないが、本装置の電池電源部と接続して流量計測や各種保安判定を行なう処理装置であるマイクロコンピュータの作動電圧を一定時間後に保てなくなる。その結果、マイクロコンピュータが記憶している流量の計測値や装置の使用時間、過去の保安履歴等の重要なデータが破壊されてしまい、後にこれらの各種データ分析をしようと思っても出来ないという課題を有していた。
【０００８】
本発明は、前記従来の課題を解決するもので、装置が使用末期時に過去蓄積した各種データ情報を外部出力部を介して外部に出力し、ここには記していない外部装置に記憶させて後のデータ分析を可能にする事で、装置の改善ができるガス遮断装置を供給することを目的とする。
【課題を解決するための手段】
【０００９】
前記従来の課題を解決するために、本発明のガス遮断装置は、電圧低下検出部が電池電源部の電圧を予め定めた一定時間毎に監視する。そして、前記遮断弁を動作させることができる下限値となる動作保証電圧から遡る所定時間の電池消耗を考慮して設定した電池消耗電圧以下になった事で電池電圧低下を判定し、所定時間後に遮断弁動作信号を出力する事で本装置の寿命は完了する。電池電圧低下検出部は外部出力部を介してその時の各種データ情報を外部に出力するように信号を出す。電圧低下検出部の信号を受け、マイクロコンピュータと接続した外部出力部は、その時のマイクロコンピュータに蓄積された各種データを外部に出力する。その後、電池消耗により電池電源部の電圧低下が進みマイクロコンピュータに記憶した各種データが破壊しても、ここには記していない本装置と電源が異なる外部装置が各種データ情報を受信して記憶しているので、本装置の寿命完了時の各種データの記憶は残っている。
【００１０】
これによって、たとえ電池電源部の電圧が無くなってもデータ分析を行なう時は、外部装置が記憶している記憶内容により装置の寿命末期のデータ分析が可能となる。
【発明の効果】
【００１１】
本発明のガス遮断装置は、本装置の寿命完了である電池電圧低下判定後の遮断弁動作信号出力時に、電圧低下検出部がその時の各種データを外部出力部を介して外部に出力するように信号を出す。電圧低下検出部の信号を受け、マイクロコンピュータと接続した外部出力部は、その時のマイクロコンピュータに蓄積された各種データを外部に出力する。その後、電池消耗により電池電源部の電圧低下が進みマイクロコンピュータに記憶した各種データが破壊されても、外部装置が各種データ情報を受信して記憶しているので、本装置の寿命完了時の各種データの記憶は残っている。データ分析を行なう時は、外部装置が記憶している記憶内容により装置の寿命末期のデータを得ることが出来る。このデータを分析し、本装置の積算流量値や装置が実際に動作した時間、各種保安異常を検出した要因等を基に電池電源部の電池容量や構成部品の寿命の可否、保安上の問題発生頻度等が求められる。そして、次期商品を設計する際に更なる配慮が可能となり、より安全性の高く、経済的なガス遮断装置への改良が可能となる。
【発明を実施するための最良の形態】
【００１２】
第１の発明は、異常時にガス通路を遮断する遮断弁とこの遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧以下になった事で電池電圧低下を判定し、所定時間後に遮断弁動作信号を出力すると共に外部出力部を介してその時の各種データ情報を外部に出力するように信号を出す電圧低下検出部とすることにより、電圧低下検出部が本装置の寿命が完了する電池電圧低下判定後の遮断弁動作信号出力時に、外部出力部を介してその時の各種データ情報を外部に出力するように信号を出す。電圧低下検出部の信号を受け、マイクロコンピュータと接続した外部出力部は、その時のマイクロコンピュータに蓄積された各種データを外部に出力する。
【００１３】
その後、電池消耗により電池電源部の電圧低下が進みマイクロコンピュータに記憶した各種データが破壊されても、ここには記していない本装置と電源が異なる外部装置が各種データ情報を受信して記憶しているので、本装置の寿命完了時の各種データの記憶は残っている。データ分析を行なう時は、外部装置が記憶している記憶内容により装置の寿命末期のデータを得ることが出来る。このデータを分析し、本装置の積算流量値や装置が実際に動作した時間、各種保安で異常検出した要因等を基に電池電源部の電池容量や構成部品の寿命の可否、保安上の問題発生頻度等が求められる。このデータを基に次期商品を設計する際に更なる配慮が可能となり、より安全性の高く、経済的なガス遮断装置への改良が可能となる。
【００１４】
第２の発明は、異常時にガス通路を遮断する遮断弁と、この遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧値以下に前記電池電源部の電圧がなったことを検出する電圧低下検出部を設け、前記電圧低下検出部は、前記電池電源部の電圧が電池消耗電圧値以下になったことを検出した時、各種データ情報を外部に出力し、所定時間後に遮断弁動作信号を出力することにより、電池電源部に何らかの異常が生じて電池消耗が急速に進み、電圧低下検出部が電池電圧低下判定した後の所定時間までに、電池電源部の電圧低下が進んでマイクロコンピュータに記憶した各種データが破壊してしまう様な場合であっても、ここには記していない本装置と電源が異なる外部装置が電池電圧低下判定時の各種データ情報を受信して記憶している。このデータを分析し、本装置の電池消耗が急速に進んだ原因の分析が可能となる。このデータを基に次期商品を設計する際に更なる配慮が可能となり、より安全性の高いガス遮断装置への改良が可能となる。
【００１５】
第３の発明は、異常時にガス通路を遮断する遮断弁と、この遮断弁を含む装置に動作電力を供給する電池電源部とを備えたガス遮断装置において、前記電池電源部の電圧を予め定めた一定時間毎に監視し前記遮断弁を動作させることができる下限値となる動作保証電圧から遡る所定時間の電池消耗を考慮して設定した電池消耗電圧値以下に前記電池電源部の電圧がなったことを検出する電圧低下検出部を設け、前記電圧低下検出部は、前記電池電源部の電圧が電池消耗電圧値以下になったことを検出した時、外部出力部を介して電池電圧低下判定時の各種データ情報を外部に出力するように信号を出し、所定時間になれば遮断弁動作信号を出力すると共にその時の各種データ情報を外部に出力することにより、電池電源部に何らかの異常が生じて電池消耗が急速に進み、電圧低下検出部が電池電圧低下判定した後の所定時間までに、電池電源部の電圧低下が進んでマイクロコンピュータに記憶した各種データが破壊してしまう様な場合は、ここには記していない本装置と電源が異なる外部装置が電池電圧低下判定時の各種データ情報を受信して記憶している。このデータを分析し、本装置の電池消耗が急速に進んだ原因の分析が可能となる。
【００１６】
また、電圧低下検出部が本装置の寿命完了である電池電圧低下判定後の遮断弁動作信号出力時に、外部出力部を介してその時の各種データ情報を外部に出力するように信号を出す。電圧低下検出部の信号を受け、マイクロコンピュータと接続した外部出力部は、その時のマイクロコンピュータに蓄積された各種データを外部に出力する。その後、電池消耗により電池電源部の電圧低下が進みマイクロコンピュータに記憶した各種データが破壊しても、外部装置が各種データ情報を受信して記憶しているので、本装置の寿命完了時の各種データの記憶は残っている。データ分析を行なう時は、外部装置が記憶している記憶内容により装置の寿命末期のデータを得ることが出来る。この様にする事で、電池電源部の異常、正常に関わらず各種のデータを分析出来るようになる。このデータを基に次期商品を設計する際に更なる配慮が可能となり、より安全性の高く、経済的なガス遮断装置への改良が可能となる。
【００１７】
以下、本発明の実施の形態について、図面を参照しながら説明する。なお、この実施の形態によって本発明が限定されるものではない。また、本発明の実施の形態はガス遮断装置で説明するが、本発明はガスに限らず水道や電力、燃焼燃料などの電池電圧判定装置であってもよい。
【００１８】
（実施の形態１）
図１は本発明の第１の実施の形態におけるガス遮断装置の制御ブロック図を示すものである。
【００１９】
図１において９電源電圧部である。１０は外部出力部である。１１は電圧低下検出部であり電池電源部９の電池電圧を一定時間間隔毎に監視している。１２は表示部であり電源電圧部９の電池電圧低下等が有ればそのことを表示する。１３は遮断弁であり異常時にガス通路を遮断する。また、図には記していないが電池電源部９、外部出力部１０には流量計測や各種保安判定を行う処理装置であるマイクロコンピュータを接続するようにしている。同様に図には記していないが本装置と別電源の外部装置が各種データ情報を受信して記憶するように構成してある。
【００２０】
以上のように構成されたガス遮断装置について、以下その動作、作用を説明する。
【００２１】
まず、電圧低下検出部１１が電源電圧部９の電圧をあらかじめ定めた時間毎に監視する。そして、遮断弁１３を動作させることが出来る下限値となる動作保証電圧から遡る所定時間の電池消耗を考慮して設定した電池消耗電圧以下になった事で電池電圧低下を判定し、所定時間後に遮断弁１３へ動作信号を出力する事で本装置の寿命は完了する。電圧低下検出部１１は電池電圧低下判定後の遮断弁動作信号出力時に、外部出力部１０を介してその時の各種データ情報を外部に出力するように信号を出す。電圧低下検出部１１の信号を受け、マイクロコンピュータと接続した外部出力部１０は、その時のマイクロコンピュータに蓄積された各種データを外部に出力する。ここで、外部出力部１０が各種データを外部に出力するための電池消耗は極めて少ないため無視する。
【００２２】
その後、電池消耗により電池電源部９の電圧低下が進みマイクロコンピュータに記憶した各種データが破壊しても、外部装置が各種データ情報を受信して記憶しているので、本装置の寿命完了時の各種データの記憶は残っている。そして、このデータを分析し、本装置の積算流量や装置が実際に動作した時間、各種保安で異常検出した要因等を基に電池電源部９の電池容量や構成部品の寿命の可否、保安上の問題発生頻度等が求められる。このデータを基に次期商品を設計する際に更なる配慮が可能となり、より安全性が高く、経済的なガス遮断装置への改良が可能となる。
【００２３】
また、電圧低下検出部１１は電池電圧低下を判定すると共に、外部出力部１０を介して電池電圧低下判定時の各種データ情報を外部に出力するように信号を出し、所定時間後に遮断弁１３へ動作信号を出力するようにしてもよい。
【００２４】
これによって、電池電源部９に何らかの異常が生じて電池消耗が急速に進み、電圧低下検出部１１が電池電圧低下判定した後の所定時間までに、電池電源部９の電圧低下が進んでマイクロコンピュータに記憶した各種データが破壊してしまう様な場合であっても、電池電圧低下判定時の各種データを、外部装置が電池電圧低下判定時の各種データ情報を受信して記憶している。このデータを分析し、本装置の電池消耗が急速に進んだ原因の分析が可能となる。このデータを基に次期商品を設計する際に更なる配慮が可能となり、より安全性の高いガス遮断装置への改良が可能となる。
【００２５】
また、電圧低下検出部１１は電池電圧低下を判定すると共に、外部出力部１０を介して電池電圧低下判定時の各種データ情報を外部に出力するように信号を出し、所定時間になれば遮断弁１３に動作信号を出力すると共に、その時の各種データ情報を外部に出力するように信号を出す様にしてもよい。
【００２６】
これによって、電池電源部９に何らかの異常が生じて電池消耗が急速に進み、電圧低下検出部１１が電池電圧低下判定した後の所定時間までに、電池電源部の電圧低下が進んでマイクロコンピュータに記憶した各種データが破壊してしまう様な場合は電池電圧低下判定時の各種データを外部装置が電池電圧低下判定時の各種データ情報を受信して記憶している。このデータを分析する事で本装置の電池消耗が急速に進んだ原因の分析が可能となる。また、電圧低下検出部１１が本装置の寿命完了である電池電圧低下判定後の遮断弁１３への動作信号出力時に、外部出力部を介してその時の各種データ情報を再度外部に出力するように信号を出す。電圧低下検出部１１の信号を受け、マイクロコンピュータと接続した外部出力部１０は、その時のマイクロコンピュータに蓄積された各種データを外部に出力する。その後、電池消耗により電池電源部９の電圧低下が進みマイクロコンピュータに記憶した各種データが破壊しても、ここには記していない外部装置が各種データ情報を受信して記憶しているので、データ分析を行なう時は、装置の寿命末期のデータを得ることが出来る。この様にする事で、電池電源部の異常、正常に関わらず各種のデータを分析出来るようになる。このデータを基に次期商品を設計する際に更なる配慮が可能となり、より安全性の高く、経済的なガス遮断装置への改良が可能となる。
【産業上の利用可能性】
【００２７】
以上のように、本発明に係るガス遮断装置は、電池消耗により電池電源部の電圧低下が進みマイクロコンピュータに記憶した各種データが破壊されても、外部装置が各種データ情報を受信して記憶しているので、本装置の寿命完了時の各種データの記憶は残っておりデータ分析を行なうことが可能となるので、ガスに限らず水道や電力、燃焼燃料などの電池電圧判定装置にも適用できる。
【図面の簡単な説明】
【００２８】
【図１】本発明の実施例１のガス遮断装置の制御ブロック図
【図２】従来のガス遮断装置の制御ブロック図
【符号の説明】
【００２９】
２、９  電池電源部
３、１３  遮断弁
１０  外部出力部
１１  電圧低下判定部
１２  表示部
【図１】
2006105856.tif 000003
【図２】
2006105856.tif 000004